(57)【特許請求の範囲】
【請求項１】
スイッチ本体の充電部にリード線が接続されたスイッチの防滴カバーにおいて、
軟質樹脂から構成されたカバー本体と、このカバー本体の一端部に設けられ、前記スイッチ本体の外形に略沿った形状に成形された被覆部と、前記カバー本体の他端部に形成され、前記スイッチ本体を挿入可能な開口部と、この開口部から前記スイッチ本体をカバー本体の被覆部内に挿入し、前記開口部から前記リード線を引き出した状態で、前記カバー本体の他端部を前記リード線に締め付ける結束バンドと、前記カバー本体の他端部に少なくとも二箇所形成され、前記結束バンドを通す挿通孔とから成り、
当該挿通孔は、前記カバー本体の角部を構成する二面にそれぞれ形成されていることを特徴とするスイッチ用防滴カバー。
【発明の詳細な説明】
【０００１】
【発明の属する技術分野】
本発明は、冷凍・冷蔵ショーケースなどにおいて外部に露出して設けられるスイッチの防滴方法及びそれに好適なスイッチ用防滴カバーに関するものである。
【０００２】
【従来の技術】
従来よりこの種低温ショーケースでは、例えば特開平７−２９４１１６号公報（Ｆ２５Ｄ２９／００）に示される如くショーケースの下部に蛍光灯などを点・消灯するためのスイッチが設けられている。係るスイッチに低温ショーケースに結露した水滴などが付着すると、リード線が接続された充電部がショートを起こしたり、作業者が充電部に触れて感電してしまう危険性があった。
【０００３】
そこで、従来では図５に示す如き防滴構造を採っていた。即ち、この図において５は例えば図示しない低温ショーケースの蛍光灯を点・消灯するための所謂プッシュスイッチであり、低温ショーケースの機械室などに設けられた取付壁１１０に取り付けられるものである。この場合、スイッチ５のスイッチ本体５Ａから突出する操作部６は、取付壁１１０から前方に露出している。また、操作部６の反対側のスイッチ本体５Ａに形成された充電部７にはリード線８が接続されている。
【０００４】
一方、１０１は従来の軟質樹脂製防滴カバーであり、その一端は操作部６を含むスイッチ本体５の外形に略沿った形状に突出成形されている。一方、他端側は側面の開口１０１にて矩形状に開放しており、この開口１０１からスイッチ本体５Ａを防滴カバー１０１内に押し込み、一端部に操作部６を押し込むと共に、リード線８を開口１０１から引き出す。これによって、操作部６は防滴カバー１０１にて覆われるので、操作部６からスイッチ本体５Ａ内に水滴が浸入することは防止されていた。
【０００５】
【発明が解決しようとする課題】
しかしながら、この開口１０１から水や作業者の手指が防滴カバー１０１内に侵入し、充電部７に触れてしまうため、従来では取付壁１１０の内側に位置するスイッチ本体５Ａと充電部７及びリード線８を防滴カバー１０１の外側から更に箱体１０９にて覆う必要があり、スイッチの取付コストが高騰してしまう問題があった。
【０００６】
本発明は、係る従来技術の課題を解決するために成されたものであり、防滴カバーにて充電部を含むスイッチ本体とリード線の充電部側への水や手指の侵入を防ぐことができるスイッチ用防滴カバーを提供することを目的とする。
【０００７】
【課題を解決するための手段】
即ち、本発明のスイッチ用防滴カバーは、スイッチ本体の充電部にリード線が接続されたスイッチを覆うものであって、軟質樹脂から構成されたカバー本体と、このカバー本体の一端部に設けられ、スイッチ本体の外形に略沿った形状に成形された被覆部と、カバー本体の他端部に形成され、スイッチ本体を挿入可能な開口部と、この開口部からスイッチ本体をカバー本体の被覆部内に挿入し、開口部からリード線を引き出した状態で、カバー本体の他端部をリード線に締め付ける結束バンドと、カバー本体の他端部に少なくとも二箇所形成され、結束バンドを通す挿通孔とから成り、この挿通孔は、カバー本体の角部を構成する二面にそれぞれ形成されているものである。
【０００８】
【発明の実施の形態】
以下、図面に基づき本発明の実施形態を詳述する。図１は本発明の防滴カバー１を具備したスイッチ５の側面図、図２は本発明の防滴カバー１の正面図、図３は本発明の防滴カバー１の側面図、図４は本発明の防滴カバー１の平面図である。本発明の防滴カバー１は、例えば図示しない低温ショーケースの下部に設けられ、蛍光灯などを点・消灯を行うためのスイッチ５の周囲に覆い、水滴などによるショートや作業者が感電してしまう事故を防止するもので、カバー本体２と結束バンド４とから構成されている。
【０００９】
また、スイッチ５は前述同様の所謂プッシュスイッチであり、スイッチ本体５Ａの一端部には段差部５Ｂを介して操作部６が突設されており、他端部にはリード線８が配線接続される金属端子から成る充電部７が設けられている。そして、操作部６を押圧操作することにより、スイッチ５のリード線８に配線接続された蛍光灯などを点・消灯できるように構成されている。
【００１０】
尚、５Ｃはスイッチ５を取り付けるための取付具で、左右に突出して図示しないネジにより、前述同様の低温ショーケースの取付壁（１１０で示した。）に同様に取り付けられるように構成されている。
【００１１】
一方、防滴カバー１の本体は、軟質塩化ビニルなどの軟質樹脂にて縦長矩形袋状に成形されており、一端部に操作部６を含むスイッチ本体５Ａの外形に略沿った形状に成形された被覆部２Ａが形成されていると共に、他端部にはスイッチ本体５Ａを容易に挿入可能な開口部２Ｃが形成されている。即ち、被覆部２Ａには前記スイッチ５の段差部５Ｂと操作部６を覆う突出部２Ｂが形成されている。そして、開口部２Ｃ近傍には所定の形状の挿通孔３が穿設されている。
【００１２】
この挿通孔３は、カバー本体２の角部を構成する二面を貫通してそれぞれ穿設されている。そして、一方の挿通孔３からカバー本体２内に後述する結束バンド４が挿通され、他方の挿通孔３から引き出す。これにより、カバー本体２の他端部全体を結束バンド４で絞り、開口部２Ｃを狭めて塞ぐことが可能とされている。
【００１３】
また、カバー本体２の一端部に形成された被覆部２Ａには、スイッチ５の取付具５Ｃを挿出させる挿出口２Ｄが設けられており、この挿出口２Ｄはスイッチ５の取付具５Ｃより僅かに狭く形成されている。
【００１４】
ここで、結束バンド４は、ひも状で所定の長さの軟性樹脂で構成されたＳＫＢと称されるものであり、一側に設けられた挿入穴部４Ａに設けられた挿通穴（図示せず）に他端部が挿入された場合、他端部は挿入穴より抜けなくなるように構成されている。
【００１５】
以上の構成で、スイッチ５を低温ショーケースに取り付けるときには、先ず防滴カバー１の開口部２Ｃから被覆部２Ａ内にスイッチ５を押し込む。このとき、防滴カバー１には操作部６側からスイッチ５が押し込まれて、突出部２Ｂに操作部６とスイッチ５の段差部５Ｂとが押し込まれ、押し込んだスイッチ５に設けられた各取付具５Ｃは挿出口２Ｄから防滴カバー１内より外に引き出されると共に、リード線８は開口部２Ｃから引き出される。
【００１６】
次に、防滴カバー１に設けられた挿通孔３に結束バンド４を通し、開口部２Ｃより引き出したリード線８と共に、結束バンド４で防滴カバー１を結束する。即ち、カバー本体２の他端部を結束バンド４にてリード線８周囲に締め付ける。この場合、予め防滴カバー１の挿通孔３に結束バンド４を挿通しておいても差し支えない。
【００１７】
これによって、用防滴カバー１の開口部２Ｃは狭められ、露出する充電部７を含むスイッチ本体５Ａとリード線８の充電部７側を一つの防滴カバー１にて覆うことが可能となる。また、リード線８が引き出されたカバー本体２の開口部２Ｃ側は結束バンド４にてリード線８に締め付けられるので、取付壁より被覆部２Ａ側からの水滴の浸入は阻止できるようになると共に、開口部２Ｃから中に手指が入り、充電部７に触ってしまうことも防止される。
【００１８】
また、軟質樹脂製の合成樹脂で防滴カバー１を作製し、スイッチ本体５Ａと露出する充電部７を含むリード線８を覆うだけのものであるので、極めて簡単な構造でスイッチ５の安全性の確保と、防滴カバー１内の浸水の防止を達成することができるようになる。これにより、著しいコストの削減が図れる。
【００１９】
また、防滴カバー１の他端部に、結束バンド４を通す挿通孔３を二箇所設けているので、結束バンド４がカバー本体２よりズレて取れてしまうこともなく、また、予め挿通孔３に結束バンド４を通して準備しておけるので、リード線８を含む防滴カバー１への締め付け作業も容易に行なうことができるようになる。
【００２０】
【発明の効果】
以上詳述した如く本発明によれば、一端部がスイッチ本体の外形に略沿った形状に成形された被覆部とされ、他端部に開口部を有する軟質樹脂製の防滴カバーを設け、スイッチ本体を開口部から防滴カバー内に挿入して被覆部まで押し込むと共に、スイッチ本体の充電部に接続されたリード線を開口部から引き出し、防滴カバーの他端部を結束バンドにてリード線周囲に締め付けるようにしたので、充電部を含むスイッチ本体とリード線の充電部側を一つの防滴カバーにて覆うことが可能となる。そして、リード線が引き出された開口部は、他端部を結束バンドにてリード線に締め付けることにより閉ざされるので、ここからの手指の充電部への接触も防止される。
【００２１】
これにより、本発明によれば極めて簡単な構造でスイッチを防滴・安全構造とすることが可能となる。また、カバー自体の比較的単純な形状で済むので、加工性も優れており、総じて著しいコストの削減を図ることができるようになる。
【００２２】
特に、カバー本体の他端部に、結束バンドを通す挿通孔を少なくとも二箇所形成したので、結束バンドが位置ズレすることが無くなり、リード線へのケース本体の締め付け作業も容易となる。
【００２３】
また、上記挿通孔を、カバー本体の角部を構成する二面にそれぞれ形成したので、結束バンドはケース本体の二面に渡って挿通されるかたちとなり、ケース本体の開口部をより簡単に閉塞することが可能となるものである。
【図面の簡単な説明】
【図１】  本発明の防滴カバーで覆われたスイッチの側面図である。
【図２】  本発明の防滴カバーの正面図である。
【図３】  本発明の防滴カバーの側面図である。
【図４】  本発明の防滴カバーの平面図である。
【図５】  従来の防滴カバーで覆われたスイッチの側面図である。
【符号の説明】
１  防滴カバー
２  カバー本体
２Ａ  被覆部
２Ｂ  突出部
２Ｃ  開口部
３  挿通孔
４  結束バンド
５  スイッチ
５Ａ  スイッチ本体
６  操作部
７  充電部
８  リード線
【図１】
0004067214.tif 000002
【図２】
0004067214.tif 000003
【図３】
0004067214.tif 000004
【図４】
0004067214.tif 000005
【図５】
0004067214.tif 000006